(57)【要約】【課題】  ホログラム像を様々な角度から容易に観察することができる反射型ホログラムを容易に作製可能な反射型ホログラム作製方法及びそれにより作製された反射型ホログラムを提供する。【解決手段】  再生照明光を入射させて所定の方向にホログラム像を再生する反射型ホログラムの作製方法において、第１の入射角度の第１再生照明光により前記所定の方向にホログラム像を再生する第１の反射型ホログラム原版、第２の入射角度の第２再生照明光により前記所定の方向にホログラム像を再生する第２の反射型ホログラム原版及びホログラム記録用感光材料を、前記ホログラム記録用感光材料が前記所定の方向側となるように並べて配置し、前記所定の方向から一光束の記録光を前記ホログラム記録用感光材料に入射することで反射型ホログラムを作製することを特徴とする。【選択図】図５
2011232422.tif 000002
【特許請求の範囲】
【請求項１】
再生照明光を入射させて所定の方向にホログラム像を再生する反射型ホログラムの作製方法において、
第１の入射角度の第１再生照明光により前記所定の方向にホログラム像を再生する第１の反射型ホログラム原版、第２の入射角度の第２再生照明光により前記所定の方向にホログラム像を再生する第２の反射型ホログラム原版及びホログラム記録用感光材料を、前記ホログラム記録用感光材料が前記所定の方向側となるように並べて配置し、
前記所定の方向から一光束の記録光を前記ホログラム記録用感光材料に入射することで反射型ホログラムを作製する
ことを特徴とする反射型ホログラム作製方法。
【請求項２】
前記所定の方向は前記ホログラム記録用感光材料に対して垂直な方向であることを特徴とする請求項１に記載の反射型ホログラム作製方法。
【請求項３】
前記第１の反射型ホログラム原版又は前記第２の反射型ホログラム原版のうち少なくとも１つは、前記ホログラム記録用感光材料のホログラム面に平行な面内で所定角度回転させて配置することを特徴とする請求項１又は請求項２に記載の反射型ホログラム作製方法。
【請求項４】
前記第１の反射型ホログラム原版又は前記第２の反射型ホログラム原版のうち少なくとも１つは、ブラッグ条件を満たす入射光を散乱させるホログラム散乱板からなることを特徴とする請求項１乃至請求項３のいずれか１つに記載の反射型ホログラム作製方法。
【請求項５】
前記第１の反射型ホログラム原版又は前記第２の反射型ホログラム原版のうち少なくとも１つは、ブラッグ条件を満たす入射光を回折させるホログラムミラーからなることを特徴とする請求項１乃至請求項４のいずれか１つに記載の反射型ホログラム作製方法。
【請求項６】
前記第１の反射型ホログラム原版又は前記第２の反射型ホログラム原版のうち少なくとも１つは、レーザー光を干渉させて発生する干渉縞が微細な凹凸からなるレリーフパターンを有することを特徴とする請求項１乃至請求項５のいずれか１つに記載の反射型ホログラム作製方法。
【請求項７】
前記第１の反射型ホログラム原版は第１の波長の光により作製され、前記第２の反射型ホログラム原版は前記第１の波長と異なる第２の波長により作製されることを特徴とする請求項１乃至請求項６のいずれか１つに記載の反射型ホログラム作製方法。
【請求項８】
請求項１乃至請求項７のいずれか１つに記載の反射型ホログラム作製方法により作製されることを特徴とする反射型ホログラム。
【発明の詳細な説明】
【技術分野】
【０００１】
本発明は、反射型ホログラム作製方法及びそれにより作製された反射型ホログラムに関するものである。
【背景技術】
【０００２】
ホログラムは完全な３次元像を再生可能であるため、１枚のホログラムに対して、デザインの多様性、優れた意匠性を持たせることができると知られている。さらには、３次元像以外にも、複数色の２次元の平面パターンを多重記録、あるいは重畳させて再生パターンの再生位置が相互に異なるようにホログラムを作製することで、より優れた意匠性を実現できることが特許文献１に開示されている。
【先行技術文献】
【特許文献】
【０００３】
【特許文献１】特開２０００−１６２９５２号公報
【特許文献２】特開２００５−１０３９９１号公報
【発明の概要】
【発明が解決しようとする課題】
【０００４】
しかしながら、特許文献１に記載されたホログラムは、１方向からの照明光によりホログラム像を再生するものであり、ホログラムを他方向から観察した際には、照明角度と観察角度が変化してしまうため、容易にホログラム像を観察することができなかった。
【０００５】
本発明は、従来技術のこのような問題点に鑑みてなされたものであり、その目的は、ホログラム像を様々な角度から観察することができる反射型ホログラムを容易に作製可能な反射型ホログラム作製方法及びそれにより作製された反射型ホログラムを提供することである。
【課題を解決するための手段】
【０００６】
上記目的を達成する本発明の反射型ホログラム作製方法は、再生照明光を入射させて所定の方向にホログラム像を再生する反射型ホログラムの作製方法において、第１の入射角度の第１再生照明光により前記所定の方向にホログラム像を再生する第１の反射型ホログラム原版、第２の入射角度の第２再生照明光により前記所定の方向にホログラム像を再生する第２の反射型ホログラム原版及びホログラム記録用感光材料を、前記ホログラム記録用感光材料が前記所定の方向側となるように並べて配置し、前記所定の方向から一光束の記録光を前記ホログラム記録用感光材料に入射することで反射型ホログラムを作製することを特徴とする。
【０００７】
また、前記所定の方向は前記ホログラム記録用感光材料に対して垂直な方向であることを特徴とする。
【０００８】
また、前記第１の反射型ホログラム原版又は前記第２の反射型ホログラム原版のうち少なくとも１つは、前記ホログラム記録用感光材料のホログラム面に平行な面内で所定角度回転させて配置することを特徴とする。
【０００９】
また、前記第１の反射型ホログラム原版又は前記第２の反射型ホログラム原版のうち少なくとも１つは、ブラッグ条件を満たす入射光を散乱させるホログラム散乱板からなることを特徴とする。
【００１０】
また、前記第１の反射型ホログラム原版又は前記第２の反射型ホログラム原版のうち少なくとも１つは、ブラッグ条件を満たす入射光を回折させるホログラムミラーからなることを特徴とする。
【００１１】
また、前記第１の反射型ホログラム原版又は前記第２の反射型ホログラム原版のうち少なくとも１つは、レーザー光を干渉させて発生する干渉縞が微細な凹凸からなるレリーフパターンを有することを特徴とする。
【００１２】
また、前記第１の反射型ホログラム原版は第１の波長の光により作製され、前記第２の反射型ホログラム原版は前記第１の波長と異なる第２の波長により作製されることを特徴とする。
【００１３】
さらに、上記目的を達成する本発明の反射型ホログラムは、前記反射型ホログラム作製方法により作製されることを特徴とする。
【発明の効果】
【００１４】
本発明にかかる反射型ホログラム作製方法によれば、再生照明光を入射させて所定の方向にホログラム像を再生する反射型ホログラムの作製方法において、第１の入射角度の第１再生照明光により前記所定の方向にホログラム像を再生する第１の反射型ホログラム原版、第２の入射角度の第２再生照明光により前記所定の方向にホログラム像を再生する第２の反射型ホログラム原版及びホログラム記録用感光材料を、前記ホログラム記録用感光材料が前記所定の方向側となるように並べて配置し、前記所定の方向から一光束の記録光を前記ホログラム記録用感光材料に入射することで反射型ホログラムを作製するので、ホログラム像を様々な角度から観察することができる反射型ホログラムを一光束で容易に作製することが可能となる。
【００１５】
また、前記所定の方向は前記ホログラム記録用感光材料に対して垂直な方向であるので、角度の設定等が簡単となりさらに容易に作製することが可能となる。
【００１６】
また、前記第１の反射型ホログラム原版又は前記第２の反射型ホログラム原版のうち少なくとも１つは、前記ホログラム記録用感光材料のホログラム面に平行な面内で所定角度回転させて配置するので、簡単な設定でデザインの多様性、意匠性を実現することが可能となる。
【００１７】
また、前記第１の反射型ホログラム原版又は前記第２の反射型ホログラム原版のうち少なくとも１つは、ブラッグ条件を満たす入射光を散乱させるホログラム散乱板からなるので、さらにデザインの多様性に富み意匠性の優れた反射型ホログラムを作製することが可能となる。
【００１８】
また、前記第１の反射型ホログラム原版又は前記第２の反射型ホログラム原版のうち少なくとも１つは、ブラッグ条件を満たす入射光を回折させるホログラムミラーからなるので、さらにデザインの多様性に富み意匠性の優れた反射型ホログラムを作製することが可能となる。
【００１９】
また、前記第１の反射型ホログラム原版又は前記第２の反射型ホログラム原版のうち少なくとも１つは、レーザー光を干渉させて発生する干渉縞が微細な凹凸からなるレリーフパターンを有するので、さらにデザインの多様性に富み意匠性の優れた反射型ホログラムを作製することが可能となる。
【００２０】
また、前記第１の反射型ホログラム原版は第１の波長の光により作製され、前記第２の反射型ホログラム原版は前記第１の波長と異なる第２の波長により作製されるので、カラー化等が実現でき、さらにデザインの多様性に富み意匠性の優れた反射型ホログラムを作製することが可能となる。
【００２１】
さらに、上記目的を達成する本発明の反射型ホログラムは、前記反射型ホログラム作製方法により作製されるので、量産化が容易で低コストでありながらデザインの多様性に富み意匠性の優れた反射型ホログラムを提供することが可能となる。
【図面の簡単な説明】
【００２２】
【図１】第１ホログラムを作製するための工程を示す図である。
【図２】第１ホログラムを再生した状態を示す図である。
【図３】第２ホログラムを作製するための工程を示す図である。
【図４】第２ホログラムを再生した状態を示す図である。
【図５】第１実施形態の第３ホログラムを作製するための工程を示す図である。
【図６】第１実施形態の第３ホログラムを再生した状態を示す図である。
【図７】第２実施形態の第３ホログラムを作製するための工程を示す図である。
【図８】第２実施形態の第３ホログラムを再生した状態を示す図である。
【発明を実施するための形態】
【００２３】
以下、図面を参照にして本発明に係る反射型ホログラム作製方法及びそれにより作製された反射型ホログラムについて説明する。
【００２４】
まず、一段階目のホログラムであるホログラム原版を作製する方法を説明する。図１は第１ホログラムを作製するための工程を示す図、図２は第１ホログラムを再生した状態を示す図、図３は第２ホログラムを作製するための工程を示す図、図４は第２ホログラムを再生した状態を示す図である。
【００２５】
本実施形態では、図１に示すように、まず、第１物体ＯＢ１に対して第１ホログラム記録用感光材料１を所定の距離だけ離間して配置する。そして、第１ホログラム記録用感光材料１に第１物体ＯＢ１からの反射又は透過散乱光である第１物体光１１及び第１物体光１１と同じ波長の平行光又は略平行光からなる第１参照光１２を第１物体ＯＢ１とは反対側から入射させる。第１物体光１１と第１参照光１２とは第１ホログラム記録用感光材料１内で干渉する。第１物体光１１と第１参照光１２とが干渉すると、第１ホログラム記録用感光材料１中に干渉縞が生成される。その後、第１ホログラム記録用感光材料１を後処理してホログラム原版としての第１ホログラム１’を作製する。
【００２６】
続いて、第１ホログラム１’の再生について説明する。図２に示すように、第１ホログラム１’を再生するためには、第１ホログラム１’に対して記録時の第１参照光１２と同じ波長で反対方向に進む第１再生照明光２１を照射する。第１再生照明光２１は、第１ホログラム１’内で回折され、第１再生光２２を射出する。そして、記録時の第１物体ＯＢ１の位置に第１再生像ＩＭ１が結像する。
【００２７】
次に、図３に示すように、第２物体ＯＢ２に対して第２ホログラム記録用感光材料２を所定の距離だけ離間して配置する。そして、第２ホログラム記録用感光材料２に第２物体ＯＢ２からの反射又は透過散乱光である第２物体光３１及び第２物体光３１と同じ波長の平行光又は略平行光からなる第２参照光３２を第２物体ＯＢ２とは反対側から入射させる。第２物体光３１と第２参照光３２とは第２ホログラム記録用感光材料２内で干渉する。第２物体光３１と第２参照光３２とが干渉すると、第２ホログラム記録用感光材料２中に干渉縞が生成される。その後、第２ホログラム記録用感光材料２を後処理してホログラム原版としての第２ホログラム２’を作製する。
【００２８】
続いて、第２ホログラム２’の再生について説明する。図４に示すように、第２ホログラム２’を再生するためには、第２ホログラム２’に対して記録時の第２参照光３２と同じ波長で反対方向に進む第２再生照明光４１を照射する。第２再生照明光４１は、第２ホログラム２’内で回折され、第２再生光４２を射出する。そして、記録時の第２物体ＯＢ２の位置に第２再生像ＩＭ２が結像する。
【００２９】
図５は第１実施形態の二段階目の第３ホログラム３’の作製方法を説明するための図である。
【００３０】
まず、第３ホログラム記録用感光材料３、第２ホログラム２’、第１ホログラム１’及び背面層８を並べて配置する。なお、第１ホログラム１’と第２ホログラム２’の順序は逆でもよい。また、本実施形態のように積層して配置すると好ましい。
【００３１】
そして、第３ホログラム記録用感光材料３側から第３参照光５１を入射する。第３参照光５１は、第３ホログラム記録用感光材料３を透過して第３再生照明光５１’として第１ホログラム１’で回折され第３再生光６１を射出する。また、同様に、第３参照光５１は、第３ホログラム記録用感光材料３を透過して第４再生照明光５１’’として第２ホログラム２’で回折され第４再生光６２を射出する。
【００３２】
第３再生光６１は第３物体光６１’として、第４再生光６２は第４物体光６２’として、第３ホログラム記録用感光材料３に入射し、第３参照光５１と干渉して、第３ホログラム記録用感光材料３中に干渉縞を生成する。その後、第３ホログラム記録用感光材料３を後処理してホログラム原版としての第３ホログラム３’を作製する。
【００３３】
図６は、第１実施形態の第３ホログラムによる第３再生像及び第４再生像を示す図である。第３ホログラム３’を再生するためには、第３ホログラム３’に対して、図５に示した記録時の第３物体光６１’及び第４物体光６２’と同じ波長で反対方向に進む第５再生照明光７１及び第６再生照明光７２を照射する。第５再生照明光７１及び第６再生照明光７２は、第３ホログラム３’内で回折され、第５再生光８１及び第６再生光８２を射出する。すると、第１ホログラム１’及び第２ホログラム２’記録時の第１物体ＯＢ１及び第２物体ＯＢ２の位置に第１再生像ＩＭ１及び第２再生像ＩＭ２が結像する。
【００３４】
このように、第３参照光の一光束露光にて異なる方向からホログラム像を観察可能な反射型ホログラムを作製することが可能となり、容易に優れたデザインの多様性、意匠性を実現することが可能となる。
【００３５】
図７は第２実施形態の二段階目の第３ホログラム３’の作製方法を説明するための図である。第２実施形態は、第３ホログラム３’の作製時に第１実施形態とは第２ホログラム２’を上下逆さ、すなわち第３ホログラム記録用感光材料３のホログラム面に平行な面内で１８０°回転して配置したものである。
【００３６】
まず、第３ホログラム記録用感光材料３、第２ホログラム２’、第１ホログラム１’及び背面層８を並べて配置する。この際に第２ホログラム２’は、上下逆さに配置する。なお、第１ホログラム１’と第２ホログラム２’の順序は逆でもよい。また、本実施形態のように積層して配置すると好ましい。
【００３７】
そして、第３ホログラム記録用感光材料３側から第３参照光５１を入射する。第３参照光５１は、第３ホログラム記録用感光材料３を透過して第３再生照明光５１’として第１ホログラム１’で回折され第３再生光６１を射出する。また、同様に、第３参照光５１は、第３ホログラム記録用感光材料３を透過して第４再生照明光５１’’として第２ホログラム２’で回折され第１実施形態とは上下逆方向に第４再生光６２を射出する。
【００３８】
第３再生光６１は第３物体光６１’として、第４再生光６２は第４物体光６２’として、第３ホログラム記録用感光材料３に入射し、第３参照光５１と干渉して、第３ホログラム記録用感光材料３中に干渉縞を生成する。その後、第３ホログラム記録用感光材料３を後処理してホログラム原版としての第３ホログラム３’を作製する。
【００３９】
図６は、第１実施形態の第３ホログラムによる第３再生像及び第４再生像を示す図である。第３ホログラム３’を再生するためには、第３ホログラム３’に対して、図５に示した記録時の第３物体光６１’及び第４物体光６２’と同じ波長で反対方向に進む第５再生照明光７１及び第６再生照明光７２を照射する。第５再生照明光７１及び第６再生照明光７２は、第３ホログラム３’内で回折され、第５再生光８１及び第６再生光８２を射出する。すると、第１ホログラム１’及び第２ホログラム２’記録時の第１物体ＯＢ１及び第２物体ＯＢ２の位置に第１再生像ＩＭ１及び第２再生像ＩＭ２が結像する。ただし、第２再生像ＩＭ２は、第１実施形態とは上下逆さに再生される。
【００４０】
このように、第３参照光の一光束露光にて異なる方向からホログラム像を観察可能な反射型ホログラムを作製することが可能となり、容易に優れたデザインの多様性、意匠性を実現することが可能となる。
【００４１】
本実施形態を実施するに当たり、レーザー光は波長４８８nmのＡｒレーザー、５３２nmのＤＰＳＳレーザーを、ホログラム記録用感光材料は特許文献１のものを用いると好ましいが、他のものを用いてもよい。
【００４２】
以上、本発明の反射型ホログラム作製方法及びそれにより作製された反射型ホログラムを実施形態に基づいて説明してきたが、本発明はこれら実施形態に限定されず種々の変形が可能である。
【００４３】
例えば、本実施形態では、２組の物体光と参照光を用いたが、それ以上の組の物体光と参照光でホログラムを作製してもよい。また、本実施形態では、第３参照光５１の角度を第３ホログラム記録用感光材料３に対して垂直に入射したが、他の角度に設定してもよい。さらに、第２実施形態では、第２ホログラム２’を上下逆さに１８０°回転して配置したが、この角度に限らず、回転すればよい。
【００４４】
また、第１ホログラム１’又は第２ホログラム２’のうち少なくとも１つは、特許文献１に記載されたようなブラッグ条件を満たす入射光を散乱させるホログラム散乱板でもよい。さらにデザインの多様性に富み意匠性の優れた反射型ホログラムを作製することが可能となる。
【００４５】
さらに、第１ホログラム１’又は第２ホログラム２’のうち少なくとも１つは、ブラッグ条件を満たす入射光を回折させるホログラムミラーでもよい。さらにデザインの多様性に富み意匠性の優れた反射型ホログラムを作製することが可能となる。
【００４６】
また、第１ホログラム１’又は第２ホログラム２’のうち少なくとも１つは、特許文献２に記載されたようなレーザー光を干渉させて発生する干渉縞が微細な凹凸からなるレリーフパターンを有するものでもよい。さらにデザインの多様性に富み意匠性の優れた反射型ホログラムを作製することが可能となる。
【００４７】
さらに、第１ホログラム１’は第１の波長の光により作製され、第２ホログラム２’は第１の波長と異なる第２の波長の光により作製されてもよい。カラー化することが可能となり、さらにデザインの多様性に富み意匠性の優れた反射型ホログラムを作製することが可能となる。
【符号の説明】
【００４８】
１…第１ホログラム記録用感光材料
１’…第１ホログラム（第１の反射型ホログラム原版）
２…第２ホログラム記録用感光材料
２’…第２ホログラム（第２の反射型ホログラム原版）
３…第３ホログラム記録用感光材料（ホログラム記録用感光材料）
３’…第３ホログラム（反射型ホログラム）
８…背面層
１１…第１物体光
１２…第１参照光
２１…第１再生照明光
２２…第１再生光
３１…第２物体光
３２…第２参照光
４１…第２再生照明光
４２…第２再生光
５１…第３参照光
５１’…第３再生照明光
５１’ ’…第４再生照明光
６１…第３再生光
６１’…第３物体光
６２…第４再生光
６２’…第４物体光
７１…第５再生照明光
７２…第６再生照明光
８１…第５再生光
８２…第６再生光
ＯＢ１…第１物体
ＯＢ２…第２物体
ＩＭ１…第１再生像
ＩＭ２…第２再生像
【図１】
2011232422.tif 000003
【図２】
2011232422.tif 000004
【図３】
2011232422.tif 000005
【図４】
2011232422.tif 000006
【図５】
2011232422.tif 000007
【図６】
2011232422.tif 000008
【図７】
2011232422.tif 000009
【図８】
2011232422.tif 000010